(57)【要約】【課題】ドアのノブに触れることなく犬や猫でもドアの開閉ができる装置を提供する。【解決手段】ドアノブにワイヤーを取り付けるための取り付け機構部を設け、ドア面に沿って踏み板を平行に昇降させるためのスライド機構部を設け、該取り付け機構部とスライド機構部間を、スプリングを介したワイヤーにて接続するとともに、スライド機構部に踏み板を設けたことを特徴とする。【選択図】図１
2010270578.tif 000002
【特許請求の範囲】
【請求項１】
ドアノブにワイヤーを取り付けるための取り付け機構部を設け、ドア面に沿って踏み板を平行に昇降させるためのスライド機構部を設け、該取り付け機構部とスライド機構部間を、スプリングを介したワイヤーにて接続するとともに、スライド機構部に踏み板を設けたことを特徴とする犬猫兼用踏み板式ドア開閉装置。
【請求項２】
踏み板を、上部開放有底の箱体にて形成してなる請求項１記載の犬猫兼用踏み板式ドア開閉装置。
【請求項３】
ワイヤーに代えて、ひもや鎖あるいはボールチェーンを用いてなる請求項１又は２記載の犬猫兼用踏み板式ドア開閉装置。
【発明の詳細な説明】
【技術分野】
【０００１】  この発明は、ドアノブに触れることなくドアの開閉ができる、ドア開閉装置に関する。
【背景技術】
【０００２】  従来より、ドア開閉時にはドアノブを操作する必要があるが、本発明に示すように、ドアノブに触れることなくドアの開閉を行うことのできる装置は見あたらない。
【発明の開示】
【発明が解決しようとする課題】
【０００３】  前述のように、ドアの開閉時はドアノブの操作が必要となる。しかし、両手にものを持っているときなど、その物をどこかに置くなどしてからドアノブ操作を行う必要があり、このような場合でも手を使うことなくドアの開閉ができれば便利である。また、犬や猫などのペットはドアノブ操作が不能のために、飼い主がその都度ドアを開けなければならない。本発明は、以上のような従来からのドア開閉に関わる課題を解決するために発明されたもので、足の操作のみでドアの開閉を行うことのできる、新規かつ有用なる装置を提供することを目的としたものである。
【課題を解決するための手段】
【０００４】  課題を解決する手段として本発明は以下の構成とした。
すなわち、ドアノブにワイヤーを取り付けるための取り付け機構部を設け、ドア面に沿って踏み板を平行に昇降させるためのスライド機構部を設け、該取り付け機構部とスライド機構部間を、スプリングを介したワイヤーにて接続するとともに、スライド機構部に踏み板を設ける。本発明は以上の構成よりなる犬猫兼用踏み板式ドア開閉装置である。
【発明の効果】
【０００５】  本発明は以下の効果を有する。
１．踏み板を踏むことにより、ワイヤーを介してドアノブを回転させることにてドアのロックを外して開くことができ、手を使うことができない場合に便利である。
２．スプリングを用いたので、踏み板を踏んだときのドアノブに対する衝撃を緩和することができる。
３．箱状の踏み板とすることで、犬や猫でもドアを開けることができる。
４．ドアの両面に本装置を設けているので、外方と内方のいずれからでもドアを開閉することができる。
【発明を実施するための最良の形態】
【０００６】  以下、本発明の実施形態について説明する。
図において、１はドア板、２はドアノブである。このドアノブの回転にてドア板端面より柱体状物が出入りし、ドア端面に近接している柱側面の凹部に出入りすることにてドア位置の固定と固定解除がなされる。３は取り付け機構部である。４はドアノブに取り付けられる巻回板で、所定幅の金属板を略環状に形成し、その一部を折曲して対向する舌片５を形成したもので、該舌片には貫通孔が穿設され、この貫通孔内にビスが挿通され、ナットが螺着している。従って、このナットの締め付けにてこの巻回板はドアノブに押圧保持される。６はスライド板ガイドで、断面略コ字形の板体で、その側面は前記巻回板に固着される。７はスライド板で、スライド板ガイド内をスライド可能なサイズの小板体で、その中央には雌ねじが刻設され、一方の端部近傍には小孔が穿設される。
８は蝶ねじで、その雄ねじ部は前記雌ねじに螺合し、従ってこの蝶ねじの締め付けにてスライド板はスライド板ガイド内に位置固定され、ゆるめることにてスライド可能となる。
ゆえにこの蝶ねじ操作にて所定範囲内にてスライド板の位置固定とその解除を選択することができる。９は上部ワイヤーで、可撓性を有する鋼線にて形成され、その両端はループ状に形成される。１０は引張コイルスプリング、１１は上部ワイヤーと同様構成の下部ワイヤーである。上部ワイヤーの上方はスライド板の孔に挿通保持され、下方は引張コイルスプリングの上部フック部に係止される。下部ワイヤーの上方は引張コイルスプリングの下部フック部に係止され、下方は後述のスライド機構部に挿通保持される。【０００７】  ２０はスライド機構部である。２１はドア板に設けられる縦長のスリット、２２はスライダーガイドである。このスライダーガイドは長方形の台板上に断面Ｌ形の板体を対向固着して形成され、台板はドア下方にビス止めされる。２３はスライダーで、スライダーガイド内をスライド可能なサイズの板体である。２４は上部凸片で、平面視Ｔ形の小板体であり、スライダー上部に固着されるとともに、その突出部には孔が穿設され、この孔に前記の下部ワイヤーが挿通保持される。２５は下部凸片で、上部凸片と同様の板体上部に小平板を固着して形成され、スライダー下方に固定される。
２６は踏み板である。この踏み板は木製台板側方を囲うように側板が固着して形成される上部開放有底の箱体である。下部凸片上部の板にこの踏み板下面が固着されて位置する。
２７は裏方スライダーで、前述のスライダーとドア板を境に対向配置される細長板体で、有孔であり、スライダー２３の孔と一致してビスとナットにて固定される。２８は裏方凸片で、前記の下部凸片と同様構成であり、その上部に裏方踏み板２９が取り付けられる。
以上が、本発明の一実施形態である。【０００８】  本発明の使用に際しては、ドア閉状態の場合、踏み板を踏むことにて踏み板は下方に移動する。この踏み板は下部凸片を介してスライダーに固定され、スライダーはスライダーガイドに沿って下降する。スライダーには上部凸片を介して下部ワイヤーが結びつけられており、このワイヤーは引張コイルスプリングを介して上部ワイヤーに関連づけられ、上部ワイヤーは取り付け機構部にてドアノブ外周に関連づけられている。そのために、踏み板下降にてドアノブは回転し、一般のドアノブ操作時と同様状態となってドアロックは解除され、ドアを軽く押すことにてドアを開けることができる。ドアを閉にするには、逆方向からドア板を押すことにて初期状態へと戻すことができる。
また、踏み板とスライダーはドア裏方部分にも設けられ、前記スライダーに固定されているので、ドア裏方からでも同様にドアを開けることができる。互いのスライダーはビスとナットにて固定され、このビスは前記スリット内に位置してその昇降範囲は規定され、スライダーガイドからのスライダーの離脱が防止される。また、ワイヤー間にはスプリングが位置しており、踏み板下降時におけるドアノブへの衝撃を緩和することができる。
本例では踏み板を箱形としており、そのために犬猫でもドアの開閉が可能である。
すなわち、犬や猫は人間より姿勢が低いが、爪が伸びており、踏み板に足先を掛けたときに、踏み板の凹部内に爪が位置するので、安定して踏み板を押圧することができる。
なお、スライド板はスライド板ガイドに沿ってスライド可能であるため、ワイヤー位置を適宜に調整することができる。【０００９】  図９〜図１０は本発明の他例である。
図において、３０は圧縮コイルスプリング、３１は有底筒体の側面に板体を固着してなるスプリングホルダーであり、このスプリングホルダーはスライダーガイド下部に固着される。前例では引張コイルスプリングの引張力にて踏み板を初期状態に復帰させる方式としたが、この引張力のみでは不十分の場合に、本例の圧縮コイルスプリングにてこの復帰力を補強したものである。つまり、踏み板が下降するとこの圧縮コイルスプリング上縁に接し、さらに踏むことにてこの圧縮コイルスプリングは押圧を受けて縮み、この縮みにて踏み板を上方に押し上げる力が働くが、この力に逆らってさらに踏み板を下降させてドアを開き、踏み板への押圧を解除すると、前記の引張コイルスプリングの引張力に加えてこの圧縮コイルスプリングの復帰力が作用して、円滑に踏み板を初期位置へと復帰させることができる。
図１２〜図１３は、ドア裏方にフック３２を設け、このフックに別のワイヤーおよび引張コイルスプリングを設け、裏方スライダーに凸片３３を取り付け、この凸片の孔にワイヤーを挿通保持させたもので、ドア前面には初例同様の装置が設けられているので、双方のスプリングにて踏み板の復帰力を強化したものである。【００１０】  図１４〜図１５は、ドアノブが平板形の場合の例である。
４０はドアノブ、４１は取付板である。この取付板はＬ形板体４２の下部に複数の孔４３を穿設し、このＬ形板体の上面中間部に別のＬ形板体４４を固着して形成される。
このＬ形板体４４はドアノブの空隙部に沿ってその厚さを変えており、この部分はドアノブの空隙部に挿入される。また、Ｌ形板体４２の前部には雌ねじが刻設され、ここにビス４５が螺合する。従って、このビスを締めることにてドアノブ下部はＬ形板体下面とビスにて押圧挟持され、取付板はドアノブに固定される。前記の孔にはフック４６が係止され、このフック下部にワイヤー４７が固定され、このワイヤー下部は初例同様の引張コイルスプリング４８に係止される。本例は平板型ドアノブ用に取り付け機構部を変化させた例であり、その他の部分は初例と同様である。なお、孔が複数個あるので、ワイヤーを係止する孔を適宜に選択して、引張方向を調整することができる。なお、既述の例ではワイヤーを用いたが、ワイヤーに代えてひも、鎖、ボールチェーンを用いてもよい。
また、図４の仮想線にて示すように、スライド板ガイドに別板を固着することにて、ドアノブに対するスライド板ガイドの位置決めが容易となる。
以上、本発明について記したが、本発明は踏み板の操作にてドアノブに手を触れることなくドアの開閉ができるところにその特徴を有するものである。
従来はこのような装置がなく、両手に物を持っているときなど不便であったが、本発明にてこの不便さが解消されるものとなったのである。また、本発明は踏み板を箱形としたので、既述のように犬や猫でもドアの開閉が可能である。本発明は健常者のみならず身体に障害のある方に対しても有効であり、従来にない便利さを有するものである。
以上のごとく、本発明によってドア開閉の利便性に富んだ装置を提供することができる。
【図面の簡単な説明】
【００１１】
【図１】  本発明の平面図（装着状態）
【図２】  本発明の右側面図
【図３】  本発明の背面図
【図４】  本発明の要部説明図（正面視）
【図５】  本発明の要部説明図（右側面視）
【図６】  本発明の要部説明図（正面視）
【図７】  本発明の要部説明図（右側面視）
【図８】  本発明の要部説明図（背面視）
【図９】  本発明の他例説明図
【図１０】  本発明の他例説明図
【図１１】  本発明の要部構造説明図
【図１２】  本発明の他例説明図
【図１３】  本発明の他例説明図
【図１４】  本発明の他例要部説明図
【図１５】  本発明の他例要部説明図
【符号の説明】
【００１２】  １    ドア板
２    ドアノブ
３    取り付け機構部
４    巻回板
５    舌片
６    スライド板ガイド
７    スライド板
８    蝶ねじ
９    上部ワイヤー
１０  引張コイルスプリング
１１  下部ワイヤー
２０  スライド機構部
２１  スリット
２２  スライダーガイド
２３  スライダー
２４  上部凸片
２５  下部凸片
２６  踏み板
２７  裏方スライダー
２８  裏方凸片
２９  裏方踏み板
３０  圧縮コイルスプリング
３１  スプリングホルダー
３２  フック
３３  凸片
４０  ドアノブ
４１  取付板
４２  Ｌ形板体
４３  孔
４４  Ｌ形板体
４５  ビス
４６  フック
４７  ワイヤー
４８  引張コイルスプリング
【図１】
2010270578.tif 000003
【図２】
2010270578.tif 000004
【図３】
2010270578.tif 000005
【図４】
2010270578.tif 000006
【図５】
2010270578.tif 000007
【図６】
2010270578.tif 000008
【図７】
2010270578.tif 000009
【図８】
2010270578.tif 000010
【図９】
2010270578.tif 000011
【図１０】
2010270578.tif 000012
【図１１】
2010270578.tif 000013
【図１２】
2010270578.tif 000014
【図１３】
2010270578.tif 000015
【図１４】
2010270578.tif 000016
【図１５】
2010270578.tif 000017